(57)【要約】【課題】ユーザの煩雑な作業を必要とせずに、送信データ量に応じて送信データを圧縮して送信し、通信料金を安価にすることができる携帯情報端末を提供する。【解決手段】通信回線を介して、画像、電子メール等のデータを他装置へ送信可能な携帯情報端末において、データを圧縮する圧縮復元変換部１９と、通信に対応した通信料金が積算された累積通信料金を記憶する記憶部１３とを備え、データを送信する際に、記憶部１３に記憶された累積通信料金と所定金額とを比較し、前記累積通信料金が前記所定金額を越えている場合は、自動的に送信データを圧縮して送信する。これにより、送信データのデータ量が低減され、データ送信にかかる時間が短くなるので、通話時間が短くなり通信料金が安価になる。また、パケット通信による場合でも、小さいパケットでデータ送信できるので、小さいパケットに対応したパケット料金となり通信料金が安価になる。【選択図】      図１
2004157626.tif 000002
【特許請求の範囲】
【請求項１】
通信回線を介してデータを送信する送信手段を備えた携帯情報端末において、データを圧縮する圧縮手段を備え、データを送信する際に、送信データのデータ量が所定値を超えた場合に、送信データを圧縮して送信することを特徴とする携帯情報端末。
【請求項２】
通信回線を介してデータを送信する送信手段を備えた携帯情報端末において、データを圧縮する圧縮手段と、通信に対応した通信料金が積算された累積通信料金を記憶する記憶手段とを備え、データを送信する際に、前記記憶手段により記憶された累積通信料金が所定金額を越えた場合に、送信データを圧縮して送信することを特徴とする携帯情報端末。
【請求項３】
前記所定金額を設定できるようにしたことを特徴とする請求項２に記載の携帯情報端末。
【請求項４】
送信データを圧縮する前に、圧縮処理を実行するかどうかをユーザに問い合わせるようにしたことを特徴とする請求項１〜請求項３のいずれかに記載の携帯情報端末。
【請求項５】
送信データを圧縮して送信する際に、ユーザに通知することを特徴とする請求項１〜請求項３のいずれかに記載の携帯情報端末。
【請求項６】
ユーザがデータを圧縮する方法を選択できるようにしたことを特徴とする請求項１〜請求項５のいずれかに記載の携帯情報端末。
【請求項７】
前記圧縮手段により静止画または動画を圧縮することを特徴とする請求項１〜請求項６のいずれかに記載の携帯情報端末。
【発明の詳細な説明】
【０００１】
【発明の属する技術分野】
本発明は、携帯情報端末に関するものであり、特に、通信回線を介して、画像、電子メール等のデータを他装置へ送信可能な携帯情報端末に関するものである。
【０００２】
【従来の技術】
従来、通信回線を介して、携帯情報端末から他装置へ画像、電子メール等のデータを送信する場合、大きいデータ量のデータを送信すると、送信されたデータが相手側装置の受信データを蓄積するメモリに占める割合が大きくなり、相手側装置が他の受信データを蓄積できなくなる等の問題が発生することがあった。また、送信データ量が相手側装置の受信データを蓄積するメモリの容量を超える場合は、送信できないという問題もあった。また、大きいデータ量のデータを送信すると、通信料金が多大になるという問題もあった。そこで、データ送信する際に、送信データのデータ量が大きい場合は、送信データを圧縮し、データ量を低減して送信していた。
【０００３】
また、近年、各通信事業者が提供するサービスとして、時間帯に応じて異なる通信料金を設定しているサービスがあり、このサービスを利用して、時間帯毎の通信料金と送信データを記憶しておき、通信料金が安価になる時間帯にデータを送信するようにしたものがある（例えば、特許文献１参照。）。この特許文献１記載の技術によれば、通信料金を安価にすることが可能である。
【０００４】
【特許文献１】
特開２０００−３４９９３０号公報  （第２−４頁、第１図）
【０００５】
【発明が解決しようとする課題】
しかしながら、送信データを圧縮すると、復元したときに画像データの画質低下等のようにデータの一部が間引かれ、復元性が損なわれる場合がある。このため、相手側装置の受信データを蓄積するメモリに多大な負担をかけない程度のデータ量のデータを送信する場合や、データを圧縮して送信しても通信料金が安価にならない場合は、データを圧縮する手間も省けるので、送信データを圧縮せず、そのまま送信していた。
【０００６】
一方、大きいデータ量の送信データであって、この送信データを圧縮せず、そのまま送信すると相手側装置の受信データを蓄積するメモリに多大な負担をかける可能性がある場合や、大きいデータ量に応じた多大な通信料金が課金される場合は、送信データを圧縮して送信していた。
【０００７】
このように、ユーザはデータ送信の際に、送信データのデータ量や通信料金が安価になるかどうかを確認し、送信データを圧縮するかどうかを判断し、送信データを圧縮すると判断したときは送信データを圧縮して送信し、送信データを圧縮しないと判断したときは送信データをそのまま送信するという煩雑な作業を必要としていた。
【０００８】
例えば、ユーザが通信事業者と契約した料金プランに無料通話サービスの料金が設定されている場合、累積通信料金がこの無料通話サービスの料金に達するまでは、送信するデータ量にかかわらず通信料金は無料なので、送信データを圧縮せず、そのまま送信していた。そして、累積通信料金が無料通話サービスの料金を超えた場合は、送信データ量に応じた通信料金が課金されることになるので、送信データを圧縮して送信していた。
【０００９】
従って、データ送信する際に、ユーザは通信料金を安価にするために、累積通信料金が無料通話サービスの料金を超えているかどうかを確認し、累積通信料金が無料通話サービスの料金を超えている場合は送信データを圧縮して送信し、超えていない場合は送信データをそのまま送信するという煩雑な作業を行っていた。
【００１０】
また、特許文献１に記載の従来技術では、通信料金が安価になる時間帯までデータの送信を遅らせる必要があり、即時に送信する場合には通信料金が安価にならないという問題があった。
【００１１】
本発明は、上記の点に鑑み、ユーザの煩雑な作業を必要とせずに、送信データ量に応じて送信データを圧縮して送信し、通信料金を安価にすることができる携帯情報端末を提供することを目的とする。
【００１２】
【課題を解決するための手段】
上記目的を達成するために本発明は、通信回線を介して、画像、電子メール等のデータを他装置へ送信可能な携帯情報端末において、データを圧縮する圧縮手段を備え、データ送信する際に、送信データのデータ量が所定値を超えた場合に、送信データを圧縮して送信することを特徴としている。
【００１３】
この発明の携帯情報端末によれば、送信データのデータ量が予め定められた所定値を超えたときは自動的に送信データを圧縮して送信するので、ユーザがデータ送信の際に送信データのデータ量を確認し、このデータ量が前記所定値を超えたときには送信データを圧縮して送信するという煩雑な作業が不要となる。また、送信するデータ量が低減され、データ送信にかかる時間、即ち、通話時間が短くなり通信料金が安価になる。また、パケット通信によるデータ送信の場合でも、データ量が低減すれば小さいパケットでデータ送信できるので、小さいパケットに対応したパケット料金となり通信料金が安価になる。また、送信データのデータ量が低減するので、送信データを受信する相手側装置の受信データを蓄積するメモリの負担が軽減する。
【００１４】
また、本発明は、通信回線を介して、画像、電子メール等のデータを他装置へ送信可能な携帯情報端末において、データを圧縮する圧縮手段と、通信に対応した通信料金が積算された累積通信料金を記憶する記憶手段とを備え、データを送信する際に、前記記憶手段により記憶された累積通信料金と所定金額とを比較し、前記累積通信料金が前記所定金額を越えた場合は、送信データを圧縮して送信することを特徴としている。
【００１５】
この発明の携帯情報端末によれば、データ送信の際にユーザが前記累積通信料金が所定金額（例えば、ユーザが契約している通信業者の無料通話サービス分の料金）を越えているかどうかを確認せずとも、前記累積通信料金に応じて送信データを圧縮して送信し、通信料金を安価にすることができる。即ち、前記累積通信料金が前記所定金額を越えた場合は、自動的に送信データが圧縮されて送信されることにより、送信データのデータ量が低減され、データ送信にかかる時間、即ち、通話時間が短くなり通信料金が安価になる。また、パケット通信によるデータ送信の場合でも、データ量が低減すれば小さいパケットでデータ送信できるので、小さいパケットに対応したパケット料金となり通信料金が安価になる。一方、前記累積通信料金が前記所定金額を越えていないときは、送信データは圧縮されずに送信されるが、通信料金が課金されることはなく、画像の画質低下等のデータ圧縮に伴うデータの復元性が損なわれることもない。
【００１６】
また、例えば、前記累積通信料金と比較される前記所定金額を、ユーザによって設定できるようにすると良い。このようにすると、前記所定金額はユーザによって任意に設定可能となり、ユーザの通信料金の管理が容易になる。
【００１７】
また、例えば、前記所定金額は、通信回線上に設けられたサーバから通知される通信料金情報および携帯情報端末が有する通話時間情報等に基づいて自動的に計算され設定されるようにすると良い。このようにすると、ユーザが通信料金の管理に特別の配慮をせずとも通信料金を安価にすることができる。
【００１８】
更に、前記所定金額の設定は、上述した手動設定と自動設定とを切り換えられるようにすると、ユーザが特に通信料金を管理したい場合には手動設定によって前記所定金額をユーザの希望金額とすることができ、特に通信料金の管理に配慮しない場合には自動設定とすることにより、通信料金を安価にするためにユーザが特別の配慮をせずとも通信料金を安価にすることができる。
【００１９】
また、例えば、送信データを圧縮する前に、送信データの圧縮処理を実行するかどうかをユーザに問い合わせるようにすると良い。このようにすると、ユーザが送信データの圧縮を希望するときのみ送信データの圧縮処理が行われ、通信料金が安価になる。また、ユーザが通信料金が安価にならなくとも送信データを圧縮せず、そのまま送信したいと希望したときには、送信データを圧縮せず送信できる。
【００２０】
また、例えば、送信データを圧縮して送信する際に、送信データを圧縮して送信することをユーザに通知するようにすると良い。このようにすると、ユーザはデータ送信の度に、送信データが圧縮されて送信されたのか、圧縮されずに送信されたのかが判別できるので、通信料金を安価にするために携帯情報端末の送信データの圧縮処理がユーザの希望通りに行われているかどうかを確認することができる。また、上述したユーザへの通知は、携帯情報端末に備えられた表示部を用いてユーザに通知することが好ましい。
【００２１】
また、例えば、ユーザがデータを圧縮する方法を選択できるようにすると良い。このようにすると、送信データを圧縮する際に、圧縮方法を変えることにより送信データの圧縮後のデータ量をユーザの希望するデータ量にすることができるので、ユーザが希望するように通信料金を安価にすることができる。
【００２２】
また、例えば、前記圧縮手段により静止画または動画のデータを圧縮して送信するようにすると良い。このようにすると、データ量の大きい画像データや動画データに対し、画像サイズの縮小、画質の低下等の非可逆なデータ圧縮処理をすることで、完全に復元可能である可逆なデータ圧縮処理をするよりもデータ量を低減することができ、通信料金をいっそう安価にすることができる。
【００２３】
【発明の実施の形態】
以下、添付図面を参照しつつ、本発明の実施の形態について説明する。図１は本発明の一実施形態に係る携帯電話装置等の携帯情報端末の構成を示すブロック図である。
【００２４】
図１において、１は携帯情報端末を示す。携帯情報端末１は、無線部１１（送信手段）、制御部１２、記憶部１３（記憶手段）、表示部１４、操作部１５、入力部１６、出力部１７、電源部１８および圧縮復元変換部１９（圧縮手段）から構成されている。
【００２５】
無線部１１は、通信回線やインターネットプロバイダのアクセスポイント等に発信し、データ要求信号やデータを送信したり、データを含む呼出信号を受信してデコードしたりするものである。制御部１２は、携帯情報端末１を構成する各部を制御するものであり、記憶部１３は、画像、電子メール等の各種データおよび通信に対応した通信料金が積算された累積通信料金および携帯情報端末１を制御するための制御プログラム等を記憶するものである。
【００２６】
また、表示部１４は、ＬＣＤ等よりなり、携帯情報端末１の動作状態等の各種情報の表示を行うものであり、操作部１５はユーザが携帯情報端末１の操作を行うものである。入力部１６は、外部からの音声入力、画像入力およびデータ入力を行うものであり、出力部１７は、外部への音声出力およびデータ出力を行うものである。電源部１８は、携帯情報端末各部を駆動させるための電力の供給および内蔵電池（図示せず）の充電等を行うものである。また、圧縮復元変換部１９は、データの圧縮、復元および変換を行うものである。
【００２７】
図２は本発明の一実施形態に係る携帯情報端末のデータ送信動作を示すフローチャートである。図２に示すフローチャートに従って図１に示す携帯情報端末１のデータ送信動作について説明する。本説明においては、例として携帯情報端末１内部の記憶部１３に保存されたカメラ画像データを送信する動作を説明する。なお、この動作は記憶部１３に記憶された制御プログラムに基づき制御部１２の制御により実行される。
【００２８】
先ず、ユーザによって操作部１５が「カメラ画像送信」と操作されると（ステップＳ２−１）、制御部１２は記憶部１３に記憶されている累積通信料金を参照する（ステップＳ２−２）。ここで累積通信料金とは、通信した際に通信回線上に設けられたサーバから通知される通話料金またはパケット料金等の通信料金を前回リセット時から現時点まで積算したものである。前記通話料金は、相手電話番号と通話時間から携帯情報端末１によって算出されたものであっても良い。また、月毎に積算した累積通信料金であって当月分の積算された通信料金を当月分累積通信料金という。上述の参照される累積通信料金は、当月分累積通信料金であっても良いし、前回リセット時から現時点までの累積通信料金であっても良い。
【００２９】
前記累積通信料金が予めユーザが設定した所定金額（例えば、ユーザが契約している通信業者の無料通話サービス分の料金）を越えていなかった場合（ステップＳ２−３）、制御部１２は無線部１１に対してカメラ画像データを送信する指示を与え、これにより無線部１１は該カメラ画像データを通信回線を介して送信する（ステップＳ２−７）。
【００３０】
一方、前記累積通信料金が前記所定金額を越えていた場合（ステップＳ２−３）、制御部１２は送信データであるカメラ画像データを圧縮するかどうかをユーザに問い合わせるメッセージ（例えば、「ファイルサイズを小さくしますか？」というメッセージ）を表示部１４に表示し、ユーザの選択待ち状態になる（ステップＳ２−４）。
【００３１】
ここで、前記所定金額は予めユーザの手動設定によってユーザの希望する金額に設定されても良いし、通信した際に通信回線上に設けられたサーバからの通信料金情報および携帯情報端末１が有する通話時間情報等に基づいて自動的に計算され自動設定されても良い。例えば、以下のようにして所定金額を自動設定できる。データ送信を行った際に、送信にかかった通話時間は携帯情報端末１で計測することができる。そして、データ送信後にサーバから通知された通話料金と前記通話時間とから１分間あたりの通話料金を算出することができる。この１分間あたりの通話料金が分かれば、ユーザと通信事業者との契約により定められた料金プランが分かるので、料金プラン毎に決められている無料通話金額も分かることになる。従って、料金プラン毎の無料通話金額を予めデータとして携帯情報端末１に保持させておけば、データ送信を行った際に、ユーザが契約した料金プランの無料通話金額を前記所定金額として自動設定することができる。また、前記所定金額の設定は、ユーザの希望に応じて上述の手動設定と自動設定とを切り換えられるようにしても良い。
【００３２】
次に、ユーザが操作部１５を操作してカメラ画像データを圧縮しない選択した場合（ステップＳ２−４）、制御部１２は無線部１１に対して該カメラ画像データを送信する指示を与え、これにより無線部１１は該カメラ画像データを通信回線を介して送信する（ステップＳ２−７）。
【００３３】
一方、ユーザがカメラ画像データを圧縮すると選択した場合（ステップＳ２−４）、制御部１２はカメラ画像データを圧縮する方法をユーザに選択させるメッセージ（例えば、「ファイルサイズ圧縮方法を選択してください。」というメッセージ）を表示部１４に表示し、ユーザの圧縮方法選択待ち状態になる（ステップＳ２−５）。
【００３４】
なお、ファイルサイズ圧縮方法には、「画像サイズを縮小する」・「画質を低下させる」・「ファイル形式を変更する」・「ファイルを圧縮する」が上げられる。「画像サイズを縮小する」とは、画像の大きさを小さく変換することであり、「画質を低下させる」とは、画像のエンコード時により高い圧縮をかけることで画質を劣化させることである。また、「ファイル形式を変更する」とは、画像のエンコード時のファイル形式を変更することであり、「ファイルを圧縮する」とは、更に画像データを圧縮することである。
【００３５】
ユーザが操作部１５を操作してカメラ画像データの圧縮方法を選択すると（ステップＳ２−５）、制御部１２は圧縮復元変換部１９に選択された圧縮方法にてカメラ画像データを圧縮するよう指示を与え、これにより圧縮復元変換部１９はカメラ画像データを選択された圧縮方法にて圧縮する（ステップＳ２−６）。そして制御部１２は無線部１１にこの圧縮されたカメラ画像データを送信する指示を与え、これにより無線部１１は圧縮されたカメラ画像データを通信回線を介して送信する（ステップＳ２−７）。
【００３６】
以上のようにして本発明の一実施形態に係る携帯情報端末のデータ送信動作が行われる。本実施形態によれば、携帯情報端末１によって通信回線を介してデータを送信する際に、送信データが圧縮されて送信されるので、送信データのデータ量が低減され、データ送信にかかる時間が短くなる。このため通話時間が短くなり通信料金が安価になる。また、パケット通信による場合でも、データ量が低減すれば小さいパケットでデータ送信できるので、小さいパケットに対応したパケット料金となり通信料金を安価にすることができる。
【００３７】
また、データを送信する際に、記憶部１３に記憶された累積通信料金と手動設定または自動設定によって予め設定された所定金額とを比較し、前記累積通信料金が前記所定金額を越えているときには、自動的に送信データを圧縮して送信するので、ユーザが累積通信料金を確認する等の煩雑な作業をせずとも、前記累積通信料金に応じて送信データを圧縮して送信し、通信料金を安価にすることができる。
【００３８】
例えば、ユーザが契約した通信業者の料金プランに無料通話サービスがあるとき、この無料通話サービス分の料金を前記所定金額として設定しておけば、累積通信料金が無料通話サービス分の料金を越えた場合は送信データを圧縮して送信するので、ユーザが累積通信料金が無料通話サービス分の料金を越えているかどうかを確認し、越えている場合は送信データを圧縮して送信するというような煩雑な作業をせずとも、累積通信料金に応じて通信料金を安価にすることができる。
【００３９】
一方、累積通信料金が無料通話サービス分の料金を越えていない場合は、送信データのデータ縮小をせずに送信しても通信料金は無料であり、むしろデータ圧縮を行わないことによって、データ復元時に画像の画質低下というようなデータ圧縮に伴うデータの復元性が損なわれることがなく、無料通話サービスを有効に活かすことができる。
【００４０】
また、累積通信料金と比較される前記所定金額をユーザによって設定できるので、前記所定金額はユーザの希望金額に設定可能となり、ユーザの通信料金の管理が容易になる。また、前記所定金額は、通信回線上に設けられたサーバからの通信料金情報および携帯情報端末が有する通話時間情報等に基づいて自動的に計算され設定できるので、ユーザが通信料金の管理に特別の配慮をせずとも通信料金を安価にすることができる。
【００４１】
また、前記所定金額の設定は、手動設定と自動設定とを切り換えられるので、ユーザが特に通信料金の管理を希望した場合には手動設定によって前記所定金額をユーザの希望金額として通信料金の管理を容易にすることができ、特に通信料金の管理に配慮しない場合には自動設定とすることにより、ユーザが通信料金の管理に特別の配慮をせずとも通信料金を安価にすることができる。
【００４２】
また、送信データを圧縮する前に、送信データの圧縮処理を実行するかどうかをユーザに問い合わせるので、ユーザが送信データの圧縮を希望するときのみ送信データの圧縮処理が行われ、通信料金が安価になる。また、ユーザが通信料金が安価にならなくとも送信データを圧縮せず、そのまま送信したいと希望したときには、送信データを圧縮せず送信できる。
【００４３】
また、ユーザがデータを圧縮する方法を選択できるので、送信データを圧縮する際に、圧縮方法を変えることにより送信データの圧縮後のデータ量をユーザの希望するデータ量にすることができ、ユーザが希望するように通信料金を安価にすることができる。
【００４４】
また、静止画または動画のデータを圧縮して送信するので、データ量の大きい画像データや動画データに対し、画像サイズの縮小、画質の低下等の非可逆なデータ圧縮処理をすることで、完全に復元可能である可逆なデータ圧縮処理をするよりもデータ量を低減することができ、通信料金をいっそう安価にすることができる。
【００４５】
なお、図２に示すデータ送信動作において、ユーザによって操作部１５が「カメラ画像送信」と操作されると（ステップＳ２−１）、制御部１２はカメラ画像データを圧縮する方法をユーザに選択させるメッセージ（例えば、「ファイルサイズ圧縮方法を選択してください。」というメッセージ）を表示部１４に表示し、ユーザの圧縮方法選択待ち状態になる（ステップＳ２−５）としても良い。このようにすると、累積通信料金が所定金額を越えているかどうかにかかわらず、データ送信の度にデータ圧縮が行われるので、送信データの累積送信データ量が低減する。これにより、無料通信料金を越える大量のデータ送信を行う場合には、通信料金を安価にすることができる。
【００４６】
また、前記累積通信料金が前記所定金額を越えていた場合（ステップＳ２−３）、制御部１２はカメラ画像データを圧縮する方法をユーザに選択させるメッセージ（例えば、「ファイルサイズ圧縮方法を選択してください。」というメッセージ）を表示部１４に表示し、ユーザの圧縮方法選択待ち状態（ステップＳ２−５）になっても良い。このようにすると、前記累積通信料金が前記所定金額を越えていたときは、ユーザに送信データの圧縮を行うかどうかの確認を省略することができ、ユーザの操作の負担を軽減することができる。
【００４７】
また、ユーザによって操作部１５が「カメラ画像送信」と操作された場合（ステップＳ２−１）、または前記累積通信料金が前記所定金額を越えていた場合（ステップＳ２−３）、またはユーザがカメラ画像データを圧縮すると選択した場合（ステップＳ２−４）、制御部１２は、予め定められたデータ圧縮方法でカメラ画像データを圧縮するよう圧縮復元変換部１９に指示を与え、これにより圧縮復元変換部１９は前記予め定められたデータ圧縮方法で前記カメラ画像データの圧縮を行うようにしても良い（ステップＳ２−６）。このようにすると、ユーザによる送信データの圧縮を行うかどうかの確認操作とデータ圧縮方法の選択操作を省略することができ、ユーザの操作の負担を軽減することができる。
【００４８】
また、ユーザによって操作部１５が「カメラ画像送信」と操作された場合（ステップＳ２−１）、または前記累積通信料金が前記所定金額を越えていた場合（ステップＳ２−３）、またはユーザがカメラ画像データを圧縮すると選択した場合（ステップＳ２−４）、制御部１２は、予め定められたデータ圧縮方法でカメラ画像データを圧縮するよう圧縮復元変換部１９に指示を与え、これにより圧縮復元変換部１９は前記予め定められたデータ圧縮方法で前記カメラ画像データの圧縮を行うとともに、制御部１２は表示部１４にカメラ画像データの圧縮を行ったうえで送信することをユーザに知らせるメッセージ（例えば、「ファイルサイズを小さくして送信します。」というメッセージ）を表示するようにしても良い（ステップＳ２−６）。このようにすると、ユーザはデータ送信の度に、送信データが圧縮されて送信されたのか、圧縮されずに送信されたのかが判別でき、通信料金を安価にするために携帯情報端末の送信データの圧縮処理がユーザの希望通りに行われているかどうかを確認することができる。
【００４９】
また、本実施例ではカメラ画像データの圧縮方法として、「画像サイズを縮小する」・「画質を低下させる」・「ファイル形式を変更する」・「ファイルを圧縮する」を上げたが、これら以外のデータ圧縮方法を用いても良い。また、送信データの種類によって選択される圧縮方法を変更しても良い。例えば、送信するデータが動画の場合は、「フレームレートの低下」（低画質化）・「ファイル形式の変更」・「ファイルの圧縮」が上げられ、音声の場合は、「音質の低下」・「ファイル形式の変更」・「ファイルの圧縮」が上げられ、テキストデータの場合は、「ファイルの圧縮」が上げられる。
【００５０】
なお、ユーザによって操作部１５が「カメラ画像送信」と操作されると（ステップＳ２−１）、制御部１２は送信データのデータ量を参照する（ステップＳ２−２）としても良い。そして、送信データのデータ量が予めユーザが設定した所定値（例えば、受信データを蓄積するためにサーバに割り当てられたメモリ容量）を越えていなかった場合（ステップＳ２−３）、制御部１２は無線部１１に対してカメラ画像データを送信する指示を与え、これにより無線部１１は該カメラ画像データを通信回線を介して送信する（ステップＳ２−７）としても良い。そして、送信データのデータ量が前記所定値を越えていた場合（ステップＳ２−３）、制御部１２は送信データであるカメラ画像データを圧縮するかどうかをユーザに問い合わせるメッセージ（例えば、「ファイルサイズを小さくしますか？」というメッセージ）を表示部１４に表示し、ユーザの選択待ち状態になる（ステップＳ２−４）としても良い。
【００５１】
このようにすると、送信データのデータ量が前記所定値を超えたときは自動的に送信データを圧縮して送信するので、ユーザがデータ送信の際に送信データ量を確認し、送信データのデータ量が前記所定値を超えたときには送信データを圧縮して送信するという煩雑な作業が不要となる。また、データ送信される相手側装置の受信データのデータ量が低減するので、相手側装置の受信データを蓄積するメモリの負担が軽減する。また、送信するデータ量が低減され、データ送信にかかる時間、即ち、通話時間が短くなり通信料金が安価になる。また、パケット通信によるデータ送信の場合でも、データ量が低減すれば小さいパケットでデータ送信できるので、小さいパケットに対応したパケット料金となり通信料金が安価になる。
【００５２】
【発明の効果】
以上のように本発明の携帯情報端末によれば、通信回線を介してデータを送信する際に、送信データのデータ量と所定値とを比較し、送信データのデータ量が前記所定値を越えているときに送信データを自動的に圧縮して送信するので、ユーザが煩雑な作業をすることなく、送信データのデータ量に応じて送信データを圧縮して送信し、通信料金を安価にすることができる。また、送信データを受信する相手側装置の受信データを蓄積するメモリの負担を軽減できる。
【００５３】
また、本発明の携帯情報端末によれば、通信回線を介してデータを送信する際に、累積通信料金と所定金額とを比較し、前記累積通信料金が前記所定金額を越えているときに送信データを自動的に圧縮して送信するので、ユーザが煩雑な作業をすることなく、累積通信料金に応じて送信データを圧縮して送信し、通信料金を安価にすることができる。
【００５４】
また、データ量の大きい画像データや動画データに対して、画像サイズの縮小、画質の低下等の非可逆なデータ圧縮処理をすることで、完全に復元可能である可逆なデータ圧縮処理をするよりもデータ量を低減することができ、通信料金をいっそう安価にすることができる。
【図面の簡単な説明】
【図１】本発明の一実施形態に係る携帯情報端末の構成を示すブロック図である。
【図２】本発明の一実施形態に係る携帯情報端末のデータ送信動作を示すフローチャートである。
【符号の説明】
１    携帯情報端末
１１    無線部（送信手段）
１２    制御部
１３    記憶部（記憶手段）
１４    表示部
１５    操作部
１６    入力部
１７    出力部
１８    電源部
１９    圧縮復元変換部（圧縮手段）
【図１】
2004157626.tif 000003
【図２】
2004157626.tif 000004